(57)【要約】【課題】破棄処分が容易で、製品コストを低く抑えることができる保護スペーサ及びその製造方法を提供する。【解決手段】長尺のフィルム上に多数の無線自動認識チップを実装して巻回した巻回製品及び前記無線自動認識チップを保護すべく前記長尺のフィルムの間に介在させる保護スペーサであって、長尺のフィルムと重ね合わされる紙製のシート部２と、少なくとも無線自動認識チップの厚みとほぼ同じ厚みを有し、シート部２の長手方向に沿って張り付けられた紙製の長尺貼紙３，３と、を備え、長尺貼紙３，３は、保護スペーサ１を長尺のフィルムの間に介在させる際に、無線自動認識チップの実装位置を避けてシート部２に張り付けられていることを特徴とする。【選択図】        図１
2006023814.tif 000002
【特許請求の範囲】
【請求項１】
長尺のフィルム上に多数の無線自動認識チップを実装して巻回した巻回製品及び前記無線自動認識チップを保護すべく前記長尺のフィルムの間に介在させる保護スペーサであって、
前記長尺のフィルムと重ね合わされる紙製のシート部と、
少なくとも前記無線自動認識チップの厚みとほぼ同じ厚みを有し、前記シート部の長手方向に沿って張り付けられた紙製の長尺貼紙と、を備え、
前記長尺貼紙は、前記保護スペーサを前記長尺のフィルムの間に介在させる際に、前記無線自動認識チップの実装位置を避けて前記シート部に張り付けられていることを特徴とする保護スペーサ。
【請求項２】
前記長尺貼紙は、その片面に、水分を含むと溶け、前記水分が乾燥すると接着相手部分に張り付く糊を塗布してあり、前記糊により前記シート部に張り付いていることを特徴とする請求項１に記載の保護スペーサ。
【請求項３】
前記シート部と前記長尺貼紙は、その表面に、導電インクが印刷されていることを特徴とする請求項１または２に記載の保護スペーサ。
【請求項４】
請求項２に記載の保護スペーサを製造する方法であって、
前記長尺貼紙を前記シート部の長手方向に沿って張り付ける際、前記長尺貼紙の糊塗布面に蒸気を吹き付けた後、前記シート部に張り付けることを特徴とする保護スペーサの製造方法。
【発明の詳細な説明】
【技術分野】
【０００１】
本発明は、ミューチップ（μ-chip）などの無線自動認識IC（RFID:Radio Frequency IDentification）を出荷する際、無線自動認識ICの損傷を防ぐために保護材として使用する保護スペーサ及びその製造方法に関する。
【背景技術】
【０００２】
無線自動認識IC（RFID:Radio Frequency IDentification）は、微小な無線チップ（例えば、0.4mm角の極小チップ）により人やモノを識別・管理する仕組みである。この無線自動認識ICは、極小性、真正性、非接触などの特徴を生かして、流通現場での現品管理タグなどに利用されている。また、紙に埋め込まれることを想定して開発された無線自動認識ICがあり、この無線自動認識ICは、ミューチップ（μ-chip）と呼ばれている。
【０００３】
ミューチップは、薄い紙に埋め込むために限界まで小型化されている。ミューチップは超小型であることを利用して、書類の偽造防止用に書類に(物理的に)埋め込まれるという使われ方や、さまざまな商品の模造品対策などの使われ方が検討されている。
【０００４】
ミューチップ１２は、図４に示すように、金属製アンテナ１３と共にフィルム製のタグ１１の上に実装されて使用される。なお、タグ１１は、例えば、図３に示すように、ＴＰＣ（Tape Carrier Package）方式で長尺のフィルム（例えば、５００ｍ程度）をロールした巻回製品１０としてボビンに巻回して出荷される。すなわち、長尺のフィルムに、ウエハーから切断したミューチップ１２と、ミューチップ１２に接続する金属製アンテナ１３と、をタグ１１毎に多数実装したものをロールし、巻回製品１０とする。
【０００５】
ところで、多数のタグ１１をＴＰＣ方式で実装した巻回製品１０は、出荷する際、ボビンに巻回して搬送するが、このとき、タグ１１同士が擦れて損傷するのを防ぐため、巻回されたフィルムの間に出荷時の保護材として保護スペーサを介在させるのが一般的である。
【０００６】
そして、保護スペーサは、フィルムの間に単に挟むだけでなく、ミューチップ１２や金属製アンテナ１３を保護する機能も有し、かかる機能を達成するため、その表面に凹凸形状を形成する必要がある。そこで、従来の保護スペーサは、金型を使用してプラスチック材のシート（化成品）を熱プレス加工により成形していた。すなわち、従来の保護スペーサは、まず延伸方法で生産された所定幅のシート原反（プラスチック材のシート）を、スリッター加工によって所定幅に裁断し、これを金型を使用した熱プレス加工機に通して、所定の凸凹形状に成形していた。
【発明の開示】
【発明が解決しようとする課題】
【０００７】
保護スペーサは、出荷時に使用するだけのものであり、巻回製品１０からタグ１１をそれぞれ分離した後は、破棄される。そこで、次のような問題が発生する。（１）保護スペーサを廃棄する場合に、プラスチック材の製品は、焼却処理に際して非常な高温が発生して焼却炉を痛めたり、ダイオキシン類のような環境汚染物質を発生するという問題があった。また、埋め立て処分した場合、プラスチックが自然環境の中でほとんど分解されず、近年廃棄物の量が増大しているため、埋め立て場所の確保も年々困難となりつつある。（２）破棄されることを考えると、プラスチック材の材料では、材料費が高すぎるといった問題や、金型を使用した熱プレス加工のコストが高すぎるといった問題があった。
【０００８】
本発明は上記課題を解決するためになされたもので、その目的とするところは、破棄処分が容易で、製品コストを低く抑えることができる保護スペーサ及びその製造方法を提供することにある。
【課題を解決するための手段】
【０００９】
上記目的を達成するために本発明の保護スペーサ及びその製造方法にあっては、鋭意検討した結果、以下のような手段を採用した。
すなわち、本発明の保護スペーサは、長尺のフィルム上に多数の無線自動認識チップを実装して巻回した巻回製品及び前記無線自動認識チップを保護すべく前記長尺のフィルムの間に介在させる保護スペーサであって、
前記長尺のフィルムと重ね合わされる紙製のシート部と、
少なくとも前記無線自動認識チップの厚みとほぼ同じ厚みを有し、前記シート部の長手方向に沿って張り付けられた紙製の長尺貼紙と、を備え、
前記長尺貼紙は、前記保護スペーサを前記長尺のフィルムの間に介在させる際に、前記無線自動認識チップの実装位置を避けて前記シート部に張り付けられていることを特徴とする。
【００１０】
また、本発明の保護スペーサにおいて、前記長尺貼紙は、その片面に、水分を含むと溶け、前記水分が乾燥すると接着相手部分に張り付く糊を塗布してあり、前記糊により前記シート部に張り付いていることを特徴とする。
【００１１】
更に、本発明の保護スペーサにおいて、前記シート部と前記長尺貼紙は、その表面に、導電インクが印刷されていることを特徴とする。
【００１２】
更にまた、本発明の保護スペーサの製造方法は、
前記長尺貼紙を前記シート部の長手方向に沿って張り付ける際、前記長尺貼紙の糊塗布面に蒸気を吹き付けた後、前記シート部に張り付けることを特徴とする。
【発明の効果】
【００１３】
本発明によれば、保護スペーサを長尺のフィルムの間に介在させる際に、無線自動認識チップの実装位置を避けて紙製の長尺貼紙を紙製のシート部に張り付けるように構成したので、破棄処分が容易で、製品コストを低く抑えることができる。また、保護スペーサは、厚みの寸法公差が規格化された紙を材料とすることができるので、例えば、クラフト紙を使用する場合は、精度の良いものを安価に手に入れることができる。更に、紙の場合、従来の化成品と比べて緩衝性があり、保護機能が高まる。
【００１４】
また、長尺貼紙は、その片面に、水分を含むと溶け、前記水分が乾燥すると接着相手部分に張り付く特殊糊を塗布しているので、その塗布面に水分を含ませるだけで、容易にシート部に張り付けることができる。
【００１５】
更に、シート部と長尺貼紙は、その表面に、導電インクが印刷されているので、長尺のフィルムの間に介在させても、無線自動認識チップを含むフィルムが帯電しない構成とすることができる。
【００１６】
更にまた、長尺貼紙をシート部の長手方向に沿って張り付ける際、長尺貼紙の糊塗布面に蒸気を吹き付け、蒸気が乾燥するまでの間にシート部を長尺貼紙と共にロール（巻回）するように構成すれば、長尺貼紙をシート部に貼付する作業の時間を短縮することができる。
【発明を実施するための最良の形態】
【００１７】
以下、本発明に係る保護スペーサを実施するための最良の形態について図面に基づき詳細に説明する。なお、本発明の保護スペーサは、ミューチップ（μ-chip）などの無線自動認識IC（RFID:Radio Frequency IDentification）を出荷する際、無線自動認識ICの損傷を防ぐために保護材として使用するものとして説明する。
【００１８】
この実施するための最良の形態では、無線自動認識ICとしてミューチップを使用するものとする。また、この最良の形態に係る保護スペーサは、ミューチップを搭載した長尺のフィルム（巻回製品；図３参照）１０の間に介在させ、約５００ｍの長さで巻回することによって、運搬したり出荷したりする作業を容易にできるものである。
【００１９】
この最良の形態に係る保護スペーサ１は、図１及び図２に示すように、長尺のフィルム（巻回製品；図３参照）１０と同一幅及び同一長さを有する紙製のシート部２と、少なくともミューチップ１２（図４）の厚み（約0.4mm）とほぼ同じ厚み（例えば、0.2mm〜0.4mm）を有し、シート部２の長手方向に沿って張り付けられた紙製の長尺貼紙３，３と、を備えている。また、保護スペーサ１は、その長さが５００ｍ程度あり、ボビン４に巻回された状態で製品化される。
【００２０】
なお、長尺貼紙３，３は、図２（ａ）及び図２（ｂ）に示すように、保護スペーサ１を長尺のフィルム１１（１０）の間に介在させる際にミューチップ１２の実装位置を避けてシート部２に張り付けられている。このように、長尺貼紙３，３がミューチップ１２の実装位置を避けると共にミューチップ１２の厚みとほぼ同じ厚みを有する理由は、ミューチップ１２を保護する必要性からである。
【００２１】
シート部２と長尺貼紙３，３は、この実施するための最良の形態では、クラフト紙を材料として使用する。また、シート部２と長尺貼紙３，３は、その表面に、導電インク（導電材）が印刷されている。
【００２２】
また、長尺貼紙３，３は、その片面に、水分を含むと溶け、前記水分が乾燥すると接着相手部分に張り付くデンプン製の特殊糊を塗布している。そして、長尺貼紙３，３は、特殊糊によりシート部２に張り付いている。
【００２３】
［保護スペーサの製造方法］
長尺貼紙３，３をシート部２の長手方向に沿って張り付ける際、長尺貼紙３，３の糊塗布面に蒸気を吹き付けた後、シート部２に張り付ける製造方法で行う。すなわち、長尺貼紙３，３をシート部２の長手方向に沿って張り付ける際、長尺貼紙３，３の糊塗布面に蒸気を吹き付け、蒸気が乾燥するまでの間にシート部２を長尺貼紙３，３と共にボビン４を芯にしてロール（巻回）する。なお、蒸気の温度は、シート部２をロールする間に蒸気が乾燥する程度の温度とする。
【００２４】
［この実施の形態の作用効果の説明］
この実施の形態によれば、保護スペーサ１の材料を安価なクラフト紙としたことで、破棄処分が容易で、製品コストを低く抑えることができる。また、紙の場合、従来の化成品と比べて緩衝性があり、保護機能がより高まる。
【００２５】
更に、ミューチップ１２の厚みは約0.4mm程度であるが、クラフト紙は厚みの寸法公差が規格化され精度の良いものが安く入手可能なので、ミューチップ１２の厚みが製品によっては異なる場合があっても、従来のように製品毎に金型を造る必要はなく、ミューチップ１２の厚みに応じて長尺貼紙３，３の厚みを選択すればよいので、製品コストを低く抑えることができる。
【００２６】
更にまた、長尺貼紙３，３は、その片面に、水分を含むと溶け、前記水分が乾燥すると接着相手部分に張り付く特殊糊を塗布しているので、その塗布面に水分を含ませるだけで、容易にシート部２に張り付けることができる。
【００２７】
更にまた、シート部２と長尺貼紙３，３は、その表面に、導電インクが印刷されているので、長尺のフィルム１１（１０）の間に介在させても、ミューチップ１２を含むフィルム１１（１０）が帯電しない構成とすることができる。
【００２８】
更にまた、この実施の形態の製造方法によれば、長尺貼紙３，３をシート部２の長手方向に沿って張り付ける際、長尺貼紙３，３の糊塗布面に蒸気を吹き付け、蒸気が乾燥するまでの間にシート部２を長尺貼紙３，３と共にロールするように構成すれば、長尺貼紙３，３をシート部２に貼付する作業の時間を短縮することができる。
【００２９】
なお、この実施の形態では、タグ１１（図４参照）がＴＰＣ（Tape Carrier Package）方式で長尺のフィルム（巻回製品）１０の場合で説明したが、タグ１１がＷＢWire Bonding)
の場合であっても、本発明の保護スペーサは同様の作用効果を奏することができる。
【００３０】
また、この実施の形態では、紙製のシート部が長尺のフィルムと同一幅及び同一長さの形状を有する場合で説明したが、本発明のシート部の形状は長尺のフィルムと同一幅及び同一長さのものに限定されるものではなく、長尺のフィルムと重ね合わせられる形状を有するものであればよい。
【図面の簡単な説明】
【００３１】
【図１】本発明の保護スペーサの外形図である。
【図２】図１のＡ部拡大図を示し、図２（ａ）は平面図を示し、図２（ｂ）は側面図を示す。
【図３】ミューチップをＴＰＣ方式で長尺のフィルムに巻回した巻回製品の外形図である。
【図４】ミューチップを実装したフィルム製のタグの平面図である。
【符号の説明】
【００３２】
１  保護スペーサ
２  シート部
３  長尺貼紙
４  ボビン
１０  巻回製品（フィルム）
１１  タグ
１２  ミューチップ（無線自動認識チップ）
【図１】
2006023814.tif 000003
【図２】
2006023814.tif 000004
【図３】
2006023814.tif 000005
【図４】
2006023814.tif 000006